(57)【要約】【目的】  本発明の目的は、第１、第２の操作体の操作の際に、第２、第１のスイッチ手段の誤作動を防止する複合操作型入力装置を提供する。【構成】  複合操作型入力装置は、第１の面１１０と第２の面１２０とを有する基板１００と、基板１００の第１の面１１０に設けられ、第１の操作体２００の押下によりオン／オフされる第１のスイッチ手段４００と、第１のスイッチ手段１００の周囲に配置される第２の操作体３００と、基板１００の第２の面１２０に配設される第２のスイッチ手段５００と、第２の操作体３００の回転を検出する回転検出手段６００とを備える。第２の操作体３００の傾動に応じて、基板１００、第１のスイッチ手段４００及び回転検出手段６００が傾動し、当該基板１００の第２の面１２０の第２のスイッチ手段配設部分が第２のスイッチ手段５００をケースのベース板９００との間でオン／オフする。【選択図】      図２
2008311007.tif 000002
【特許請求の範囲】
【請求項１】
第１の面とこの第１の面の反対側の面である第２の面とを有する基板と、
この基板の第１の面に向けて押下操作可能な第１の操作体と、
この第１の操作体の回りに配置され、回転操作及び傾動操作可能な環状の第２の操作体と、
基板の第１の面に設けられており且つ第１の操作体の押下移動によりオン／オフされる第１のスイッチ手段と、
基板の第２の面の第１の操作体配設部分の反対側部分の周囲に配設される複数の第２のスイッチ手段と、
第２の操作体の回転を検出する回転検出手段と、
基板、第１、第２のスイッチ手段及び回転検出手段を収容するケースとを備えており、
第２の操作体の傾動に応じて、基板、第１のスイッチ手段及び回転検出手段が傾動することにより、当該基板の第２の面の複数の第２のスイッチ手段配設部分が、複数の第２のスイッチ手段をケースの底板部との間でオン／オフするようになっていることを特徴とする複合操作型入力装置。
【請求項２】
請求項１記載の複合操作型入力装置において、
回転検出手段を基板に取り付ける取付手段を更に備えており
回転検出手段は、
第２の操作体に取り付けられ、第１の操作体の回りに配置される環状のロータと、
第１の操作体を押下操作可能に保持すると共に、ロータを回転可能に保持するホルダと、
ロータに設けられる第１の接点部と、
ホルダに設けられており且つ第１の接点部に摺接可能な接触子とを有しており、
取付手段は、第１の操作体及びロータを保持したホルダを基板に取り付けるようになっていることを特徴とする複合操作型入力装置。
【請求項３】
請求項２記載の複合操作型入力装置において、
基板はフレキシブル基板であり、
ホルダは、基板の第１の面の複数の第２のスイッチ手段配設部分の反対側部分に各々面接触する平坦面を有していることを特徴とする複合操作型入力装置。
【請求項４】
請求項２記載の複合操作型入力装置において、
回転検出手段は、
基板の第１の面に設けられており且つ接触子が接触する第２の接点部を更に有することを特徴とする複合操作型入力装置。
【請求項５】
請求項２記載の複合操作型入力装置において、
回転検出手段は、
ロータ又はホルダに設けられる凸凹面と、
ホルダ又はロータに設けられており且つロータの回転に応じて凸凹面上を摺動する感触子とを更に有することを特徴とする複合操作型入力装置。
【請求項６】
請求項２記載の複合操作型入力装置において、
ホルダ又は第１の操作体には、第１の操作体又はホルダに係止し、当該第１の操作体の周方向の回転を防止する係止手段が設けられていることを特徴とする複合操作型入力装置。
【請求項７】
請求項３記載の複合操作型入力装置において、
取付手段は、
ロータをホルダに回転可能に取り付ける第１の取付フレームと、
基板をホルダに取り付けると共に、基板の第２の面の第１の操作体配設部分の反対側部分に面接触する第２の取付フレームとを有することを特徴とする複合操作型入力装置。  
【請求項８】
請求項１記載の複合操作型入力装置において、
ケースは、基板、第１のスイッチ手段及び回転検出手段を傾動自在に収容する環状のフレームと、このフレームに取り付けられ、当該ケースの底板部をなすベース板とを備えており、
基板はフレキシブル基板であり、
第１のスイッチ手段は、
基板の第１の面に設けられる一対の第１の固定接点部と、
一方の第１の固定接点部上に配置されており且つ第１の操作体に押下されることにより弾性変形して他方の第１の固定接点部に接触する断面視略凹字状の第１の可動接点部とを有しており、
各第２のスイッチ手段は、
基板の第２の面に設けられる一対の第２の固定接点部と、
一方の第２の固定接点部上に配置されており且つ基板の第２のスイッチ手段配設部分に押下されることにより弾性変形して他方の第２の固定接点部に接触する断面視略凹字状の第２の可動接点部とを有しており、
ベース板の面上には、基板の第２の面の第１の操作体配設部分の反対側部分に向けて凸の第１の凸部が設けられていることを特徴とする複合操作型入力装置。  
【請求項９】
請求項８記載の複合操作型入力装置において、
ベース板の面上の第１の凸部の回りには、複数の第２のスイッチ手段の第２の可動接点部の頂部に向けて凸の複数の第２の凸部が設けられていることを特徴とする複合操作型入力装置。
【発明の詳細な説明】
【技術分野】
【０００１】
本発明は、押下操作、回転操作及び傾動操作が可能な複合操作型入力装置に関する。
【背景技術】
【０００２】
この種の複合操作型入力装置としては、第１の操作体の押下操作に応じて、回転検出手段及び基板が下方に移動することにより、当該基板の下面上の中心部に配設された第１のスイッチ手段をオン／オフする一方、第２の操作体の傾動操作に応じて、回転検出手段及び基板が傾動することにより、当該基板の下面上の周縁部に配設された第２のスイッチ手段をオン／オフするようになっているものがある（特許文献１参照）。
【０００３】
【特許文献１】特開２００３−２９６００６号公報
【発明の開示】
【発明が解決しようとする課題】
【０００４】
ところが、第１、第２のスイッチ手段が基板の同一面上（即ち、下面上）に設けられているため、第１の操作体の押下操作に応じて、回転検出手段及び基板が下方へに移動すると、第１のスイッチ手段だけでなく、第２のスイッチ手段もオン／オフされることがある。同様に、第２の操作体の傾動操作に応じて、回転検出手段及び基板が傾動すると、第２のスイッチ手段だけでなく、第１のスイッチ手段もオン／オフされることがある。
【０００５】
即ち、前記複合操作型入力装置は、第１の操作体の押下操作の際に第２のスイッチ手段が誤作動する可能性があると共に、第２の操作体の傾動操作の際に第１のスイッチ手段が誤作動する可能性がある。
【０００６】
本発明は、上記事情に鑑みて創案されたものであって、その目的とするところは、第１、第２の操作体の操作の際に、第２、第１のスイッチ手段が誤作動を起こすのを防止することができる複合操作型入力装置を提供することにある。
【課題を解決するための手段】
【０００７】
上記課題を解決するために、本発明の複合操作型入力装置は、第１の面とこの第１の面の反対側の面である第２の面とを有する基板と、この基板の第１の面に向けて押下操作可能な第１の操作体と、この第１の操作体の回りに配置され、回転操作及び傾動操作可能な環状の第２の操作体と、基板の第１の面に設けられており且つ第１の操作体の押下移動によりオン／オフされる第１のスイッチ手段と、基板の第２の面の第１の操作体配設部分の反対側部分の周囲に配設される複数の第２のスイッチ手段と、第２の操作体の回転を検出する回転検出手段と、基板、第１、第２のスイッチ手段及び回転検出手段を収容するケースとを備えており、第２の操作体の傾動に応じて、基板、第１のスイッチ手段及び回転検出手段が傾動することにより、当該基板の第２の面の複数の第２のスイッチ手段配設部分が、複数の第２のスイッチ手段をケースの底板部との間でオン／オフするようになっている。
【０００８】
即ち、第１の操作体が押下操作されると、基板の第１の面上の第１のスイッチ手段をオン／オフする。一方、第２の操作体が傾動操作されると、基板、第１のスイッチ手段及び回転検出手段が傾動し、当該基板の第２の面の複数の第２のスイッチ手段配設部分がケースの底板部との間で複数の第２のスイッチ手段を各々オン／オフする。
【０００９】
前記複合操作型入力装置は、回転検出手段を基板に取り付ける取付手段を更に備える構成とすることができる。この場合、回転検出手段は、第２の操作体に取り付けられ、第１の操作体の回りに配置される環状のロータと、第１の操作体を押下操作可能に保持すると共に、ロータを回転可能に保持するホルダと、ロータに設けられる第１の接点部と、ホルダに設けられており且つ第１の接点部に接触可能な接触子とを有しており、取付手段は、第１の操作体及びロータを保持したホルダを基板に取り付けるようになっている。
【００１０】
このように、第１の操作体、回転検出手段及び基板が取付手段によりユニット化されるので、第１の操作体、回転検出手段及び基板の組み込みが容易になる。
【００１１】
基板としてはフレキシブル基板を用いることができる。この場合、ホルダは、基板の第１の面の複数の第２のスイッチ手段配設部分の複数の反対側部分に各々面接触する平坦面を有していることが好ましい。
【００１２】
この場合、第２の操作体の傾動操作の際に、ホルダの平坦面により基板の第１の面の複数の第２のスイッチ手段配設部分の反対側部分を押さえることができるので、前記基板が撓むことにより、第２のスイッチ手段をオン／オフすることができなくなるのを低減することができる。
【００１３】
前記回転検出手段は、基板の第１の面に設けられており且つ前記接触子が接触する第２の接点部を更に有することが好ましい。この場合、回転検出手段が基板と共に傾動し、当該基板を通じて第２のスイッチ手段をオン／オフするようになっている。このため、基板の第１の面上に第２のスイッチ手段が配設されており、第２の操作体の傾動に応じて回転検出手段が傾動し、当該回転検出手段の接触子が前記基板上の第２の接点部に押しつけられる場合と比べて当該接触子のへたりを抑止することができる。
【００１４】
前記回転検出手段は、ロータ又はホルダに設けられる凸凹面と、ホルダ又はロータに設けられており且つロータの回転に応じて凸凹面上を摺動する感触子とを更に有することが好ましい。このように感触子が凹凸面上を摺動することにより、第２の操作体の回転操作の操作感を発生させることができる。
【００１５】
ホルダ又は第１の操作体には、第１の操作体又はホルダに係止し、当該第１の操作体の周方向の回転を防止する係止手段が設けられていることが好ましい。
【００１６】
取付手段は、ロータをホルダに回転可能に取り付ける第１の取付フレームと、基板をホルダに取り付けると共に、基板の第２の面の第１の操作体配設部分の反対側部分に面接触する第２の取付フレームとを有することが好ましい。この場合、第１の操作体の押下移動の際に、第２の取付フレームが基板の第２の面の第１の操作体配設部分の反対側部分を支持する。このため、基板の撓みが防止される。
【００１７】
前記ケースは、基板、第１のスイッチ手段及び回転検出手段を傾動自在に収容する環状のフレームと、このフレームに取り付けられ、当該ケースの底板部をなすベース板とを備える構成とすることができる。この場合、基板はフレキシブル基板である。第１のスイッチ手段は、基板の第１の面に設けられる一対の第１の固定接点部と、一方の第１の固定接点部上に配置されており且つ第１の操作体に押下されることにより弾性変形して他方の第１の固定接点部に接触する断面視略凹字状の第１の可動接点部とを有している。各第２のスイッチ手段は、基板の第２の面に設けられる一対の第２の固定接点部と、一方の第２の固定接点部上に配置されており且つ基板の第２のスイッチ手段配設部分に押下されることにより弾性変形して他方の第２の固定接点部に接触する断面視略凹字状の第２の可動接点部とを有しており、ベース板の面上には、基板の第２の面の第１の操作体配設部分の反対側部分に向けて凸の第１の凸部が設けられている。
【００１８】
このため、第１の操作体所定以上の力で押下操作される又は第１、第２の操作体が押下操作されることにより、基板が第１のスイッチ手段及び回転検出手段と共にベース板に向けて移動したとしても、第１の凸部で基板の第２の面の第１の操作体配設部分の反対側部分を支持することができるので、当該基板の第２の面の複数の第２のスイッチ手段配設部分が複数の第２のスイッチ手段をオン／オフし、当該第２のスイッチ手段が誤作動するのを防止することができる。
【００１９】
ベース板の面上の第１の凸部の回りには、複数の第２のスイッチ手段の第２の可動接点部の頂部に向けて凸の複数の第２の凸部が設けられていることが好ましい。この場合、第２のスイッチ手段の第２の可動接点部が、基板の傾動に応じて傾動すると、第２の凸部により押圧される。このため、第２のスイッチ手段の第２の可動接点部を弾性変形させ易くすることができる。
【発明の効果】
【００２０】
本発明の複合操作型入力装置による場合、第１のスイッチ手段が基板の第１の面に、第２のスイッチ手段が基板の第２の面に設けられている。よって、第１の操作体の押下操作の際に、第２のスイッチ手段が第１の操作体の押下操作によりオン／オフされるのが防止される。また、第２の操作体の傾動操作の際に、第１のスイッチ手段が基板と共に傾動する。よって、第２の操作体の傾動操作により第１のスイッチ手段がオン／オフされるのが防止される。このため、第１、第２のスイッチ手段の誤作動を防止することができる。
【発明を実施するための最良の形態】
【００２１】
以下、本発明の実施の形態に係る複合操作型入力装置について図面を参照しつつ説明する。図１は本発明の実施の形態に係る複合操作型入力装置の概略的斜視図であって、(ａ)が上方から見た図、（ｂ）が下方から見た図、図２は(ａ)が同装置のＡ−Ａ断面図、(ｂ)が同装置のＢ−Ｂ断面図、図３は同装置の概略的分解斜視図、図４は同装置の第１の操作体の概略的斜視図であって、(ａ)が上方から見た図、（ｂ）が下方から見た図、図５は同装置の第２の操作体の概略的斜視図であって、(ａ)が上方から見た図、（ｂ）が下方から見た図、図６は同装置の回転検出手段の第１の接点部が埋設されたロータの概略的斜視図であって、(ａ)が上方から見た図、（ｂ）が下方から見た図、図７は同装置の回転検出手段の第１の接点部の概略的斜視図、図８は同装置の回転検出手段の第１、第２の接触子が埋設されたホルダの概略的斜視図であって、(ａ)が上方から見た図、（ｂ）が下方から見た図、図９は同装置の回転検出手段の第１、第２の接触子の概略的斜視図、図１０は同装置の基板の概略的斜視図であって、(ａ)が上方から見た図、（ｂ）が下方から見た図、図１１は同装置の基板及び第１、第２のスイッチ手段を示す概略的分解斜視図、図１２は同装置のフレームの概略的斜視図であって、(ａ）が上方から見た図、（ｂ）が下方から見た図、図１３は同装置のベース板を示す概略的斜視図であって、(ａ）が上方から見た図、（ｂ）が下方から見た図、図１４は同装置の設計変更例を示す概略的断面図である。
【００２２】
図１及び図２に示す複合操作型入力装置は、図示しない携帯情報端末やＤＶＤ再生記録装置等のリモコン装置である電子機器に備えられる入力装置である。
【００２３】
この複合操作型入力装置は、第１の面１１０（上面）とこの第１の面の反対側の面である第２の面１２０（下面）とを有する基板１００と、この基板１００の第１の面１１０に向けて押下操作可能な第１の操作体２００と、この第１の操作体２００の回りに配置され、回転操作及び４方向の傾動操作可能な環状の第２の操作体３００と、基板１００の第１の面１１０に設けられる第１のスイッチ手段４００と、基板１００の第２の面１２０の第１の操作体配設部分の反対側部分の周囲に位置するように設けられる４つの第２のスイッチ手段５００と、基板１００の第１の面１１０に設けられる回転検出手段６００と、回転検出手段６００を基板１００に取り付ける取付手段７００と、基板１００、第１、第２のスイッチ手段４００、５００、回転検出手段６００のホルダ６２０を収容するケースとを備えている。以下、各部を詳しく説明する。
【００２４】
第１の操作体２００は、図２、図３及び図４に示すように、略円柱状の樹脂成形品である。この第１の操作体２００の下端部の周縁部には、板状のフランジ部２１０が設けられている。このフランジ部２１０には、２つの係止凹部２１１が１８０°間隔で設けられている。この係止凹部２１１は、回転検出手段６００のホルダ６２０の係止凸部６２１ａに係止され、第１の操作体２００の周方向への回転を防止する。即ち、係止凹部２１１及び係止凸部６２１ａが第１の操作体２００の周方向への回転を防止する係止手段となる。
【００２５】
また、第１の操作体２００の下面の中心部には、円柱状の突起部２２０が設けられている。この突起部２２０は第１のスイッチ手段４００の第１の可動接点部４２０の頂部上にセットされる。
【００２６】
第２の操作体３００は、図２、図３及び図５に示すように、中心部に第１の操作体２００が嵌まり込む貫通孔部３１０が設けられた略円環状の樹脂成形品である。
【００２７】
第２の操作体３００の下面には、貫通孔部３１０の回りに同心円状に設けられるリング状の嵌合凹部３２０と、この嵌合凹部３２０の外側に同心円状に設けられるリング状の収容凹部３３０と、嵌合凹部３２０と収容凹部３３０との間に９０°ピッチ間隔で設けられる４つの圧入凸部３４０とが設けられている。
【００２８】
嵌合凹部３２０は、回転検出手段６００のロータ６１０の嵌合凸部６１２が嵌合する。また、圧入凸部３４０は、回転検出手段６００のロータ６１０の圧入孔部６１３に圧入される。
【００２９】
収容凹部３３０は、取付手段７００の第１の取付フレーム７１０の本体部７１１を収容するようになっている。
【００３０】
また、第２の操作体３００の上面には、操作され易くするための複数の長尺状の凸脈３５０が中心部から外周縁部に向けて放射状に設けられている。
【００３１】
回転検出手段６００は、図２、図３及び図１０に示すように、第２の操作体３００に取り付けられ、第１の操作体２００の回りに配置される環状のロータ６１０と、第１の操作体２００を押下操作可能に保持すると共に、ロータ６１０を回転可能に保持するホルダ６２０と、ロータ６１０にインサート成形により埋設される第１の接点部６３０と、基板１００の第１の面１１０上に設けられる第２の接点部６４１、６４２、６４３と、ホルダ６２０に埋設される第１の接触子６５１及び２つの第２の接触子６５２と、ホルダ６２０に設けられる凹凸面６６０と、この凹凸面６６０上を摺動可能な感触子６７０とを備えている。
【００３２】
ロータ６１０は、図６に示すように、中心部に第１の操作体２００が嵌まり込む中心孔部６１１が設けられた略円環状の樹脂成形品である。
【００３３】
ロータ６１０の上面には、図６（ａ）に示すように、中心孔部６１１の回りにリング状の嵌合凸部６１２と、この嵌合凸部６１２に回りに９０°ピッチ間隔で設けられる圧入孔部６１３とが設けられている。即ち、嵌合凸部６１２が嵌合凹部３２０に嵌合し、圧入凸部３４０が圧入孔部６１３に圧入されることにより、ロータ６１０が第２の操作体３００の下面に取り付けられる。
【００３４】
ロータ６１０の下面の中心部には、図６（ｂ）に示すように、中心孔部６１１と連通する円形の凹部である収容部６１４が設けられている。この収容部６１４には、ホルダ６２０の円筒部６２１の上端部が第１の操作体２００のフランジ部２１０を収容した状態で嵌まり込むようになっている。また、収容部６１４はホルダ６２０の円筒部６２１の上端部上を回転自在になっている。これにより、ロータ６１０及び第２の操作体３００が周方向に回転可能になる。また、収容部６１４の中心孔部６１１の周縁部がフランジ部２１０に当接することにより、第１の操作体２００の上方への抜けを防止している。
【００３５】
また、ロータ６１０の下面の外周縁部には、感触子６７０の４つの取付孔部６７１に各々嵌合する取付凸部６１５が２つずつ１８０°間隔で設けられている。
【００３６】
第１の接点部６３０は、図６（ｂ）及び図７に示すように、円環接点部６３１と、この円環接点部６３１の外周部に１８０°間隔で設けられる２つの第１の円弧接点部６３２と、円環接点部６３１の外周部の２つの第１の円弧接点部６３２と９０°位置ズレした箇所に設けられる２つの第２の円弧接点部６３３とを有する。
【００３７】
円環接点部６３１はロータ６１０の下面の収容部６１４の回りの領域から露出する。
【００３８】
各第１の円弧接点部６３２は、略矩形状の４つの切欠き部が等間隔で設けられている。この第１の円弧接点部６３２はロータ６１０の下面の円環接点部６３１の露出領域の外側領域から露出する。
【００３９】
各第２の円弧接点部６３３は、略矩形状の３つの切欠き部が等間隔で設けられている。この第２の円弧接点部６３３もロータ６１０の下面の円環接点部６３１の露出領域の外側領域から露出する。
【００４０】
ホルダ６２０は、図８に示すように、略円形のカップ状の樹脂成形品である。このホルダ６２０の内底部には、円筒部６２１と、この円筒部６２１と同心円状に設けられるリング状の凹部６２２と、円筒部６２１と凹部６２２とを繋ぐ４つの梁部６２３とが設けられている。
【００４１】
４つの梁部６２３は、円筒部６２１と凹部６２２との間に９０°間隔で設けられている。各梁部６２３の下面は、ホルダ６２０の凹部６２２の反対側の面（後述する平坦面６２５）よりも上方に窪んでいる。この窪みにより基板１００の第１の面１１０上のテープ４３０との干渉を避けている。
【００４２】
凹部６２２及び梁部６２３の上方空間は、ロータ６１０を回転自在に収容する収容空間となっている。凹部６２２の上面には凹凸面６６０が設けられている。また、凹部６２２の内側の縁部の上面及び梁部６２３の上面は同一高さのフラット面であり、第２の操作体３００の傾動に応じてロータ６１０に押下されるようになっている。
【００４３】
円筒部６２１の上端部は、ロータ６１０の収容部６１４に嵌まり込み、当該収容部６１４を回転自在に保持する。即ち、円筒部６２１の上端部がロータ６１０及び第２の操作体３００の回転軸となっている。このようにロータ６１０及び第２の操作体３００の回転軸が複合操作型入力装置の中心部に配設されることにより、前記回転軸が外側にある場合（例えば、第２の操作体の外周縁部がフレームの内周縁部に回転自在に保持される軸支構造である場合）と比べてロータ６１０及び第２の操作体３００のトルクを小さくすることができ、回転操作の操作感の向上を図ることができる。
【００４４】
円筒部６２１の内部は、図２に示すように、第１の接触子６５１のリング部６５１ａにより２つのセクションに区切られている。
【００４５】
上側のセクションは、円筒部６２１の上端部がロータ６１０の収容部６１４に収容されることにより、当該収容部６１４との間で第１の操作体２００を上下動可能に保持する。また、上側のセクションには、内側に向けて凸の２つの係止凸部６２１ａが１８０°間隔で設けられている。この係止凸部６２１ａが第１の操作体２００の係止凹部２１１に係止されることにより、当該第１の操作体２００の周方向への回転を防止する。
【００４６】
一方、下側のセクションは、第１のスイッチ手段４００の第１の可動接点部４２０を収容する。
【００４７】
ホルダ６２０の外壁部には、４つの取付部６２４が９０°間隔で設けられている。また、ホルダ６２０の前記外壁部の下端部の４つの取付部６２４間には板状の４つのフランジが設けられている。
【００４８】
各取付部６２４は、取付手段７００の第１の取付フレーム７１０の第１の係止片７１２を係止する係止爪６２４ａと、この係止爪６２４ａの両側に配設される第２の取付フレーム７２０の第２の係止片７２２を係止する一対の係止突起６２４ｂとを有する。
【００４９】
ホルダ６２０の凹部６２２の反対側の面には平坦面６２５が設けられている。この平坦面６２５上には２つの位置決め用のボス６２６が１８０°間隔で設けられている。
【００５０】
平坦面６２５は、基板１００の第１の面１１０の４つのの第２のスイッチ手段５００の一対の第２の固定接点部５１１、５１２の配設部分の反対側部分の外側の略半分の領域に面接触する。即ち、平坦面６２５は、第２の操作体３００の傾動に伴ってホルダ６２０が傾動するときに、基板１００を通じて第２のスイッチ手段５００の４つの第２の可動接点部５２０を各々押し下げる押下部として機能する。
【００５１】
各位置決め用のボス６２６は、円柱状の突起であって、基板１００の位置決め用の孔部１４０に嵌まり込む。これにより、ホルダ６２０が基板１００の第１の面１１０上で位置決めされる。
【００５２】
第２の接点部６４１は、図１０（ａ）に示すように、基板１００の第１の面１１０の第１のスイッチ手段４００の第１の固定接点部４１２の外側に設けられる。第２の接点部６４２は、基板１００の第１の面１１０の第２の接点部６４１の一端部の外側に設けられる。第２の接点部６４３は、基板１００の第１の面１１０の第２の接点部６４１の他端部の外側に設けられる。
【００５３】
第１の接触子６５１は、図９に示すように、リング部６５１ａと、２つの半円弧状の第１の接触アーム６５１ｂと、リング部６５１ａと２つの半円弧状の第１の接触アーム６５１ｂとを繋ぐ第１の接続部６５１ｃとを有する。
【００５４】
リング部６５１ａは、第１の操作体２００の突起部２２０が上下動可能に嵌まり込むようになっている。
【００５５】
各第１の接触アーム６５１ｂの中央部及び第１の接続部６５１ｃは、ホルダ６２０の梁部６２３の内側部にインサート成形により埋設される。
【００５６】
この第１の接触アーム６５１ｂの一端部は、当該第１の接触アーム６５１ｂの中央部が埋設された梁部６２３とこの梁部６２３の隣の梁部６２３との間の空間に向けて延びている。この第１の接触アーム６５１ｂの一端部の先端部は、第１の接点部６３０の円環接点部６３１上を摺動可能とするために上方に向けて湾曲している。
【００５７】
第１の接触アーム６５１ｂの他端部は、当該第１の接触アーム６５１ｂの中央部が埋設された梁部６２３とこの梁部６２３の別の隣の梁部６２３との間の空間に向けて延びている。この第１の接触アーム６５１ｂの他端部の先端部は、基板１００の第１の面１１０上の第２の接点部６４１の端部に接触するために下方に向けて湾曲している。
【００５８】
２つの第２の接触子６５２は、図９に示すように、半円弧状の第２の接触アーム６５２ａを各々有する。
【００５９】
第２の接触子６５２は第２の接触アーム６５２ａの両端部を除く大部分が、ホルダ６２０の梁部６２３の外側部にインサート成形により各々埋設される。
【００６０】
第２の接触アーム６５２ａの一端部は、当該第２の接触アーム６５２ａの中央部が埋設された梁部６２３とこの梁部６２３の隣の梁部６２３との間の空間に向けて各々延びている。この第２の接触アーム６５２ａの一端部の先端部は、二股に分かれており且つ第１の接点部６３０の２つの第１の円弧接点部６３２及び第２の円弧接点部６３３上を摺動可能とするために上方に向けて各々湾曲している。
【００６１】
第２の接触アーム６５２ａの他端部は、当該第２の接触アーム６５２ａの中央部が埋設された梁部６２３とこの梁部６２３の別の隣の梁部６２３との間の空間に向けて各々延びている。
【００６２】
一方の第２の接触アーム６５２ａの他端部の先端部は、基板１００の第１の面１１０上の第２の接点部６４２に接触するために下方に向けて湾曲している。他方の第２の接触アーム６５２ａの他端部の先端部は、基板１００の第１の面１１０上の第２の接点部６４３に接触するために下方に向けて湾曲している。
【００６３】
即ち、ロータ６１０の回転に応じて、第１の接触子６５１の２つの第１の接触アーム６５１ｂの一端部の先端部がロータ６１０の下面から露出する第１の接点部６３０の円環接点部６３１上を各々摺動する一方、２つの第２の接触子６５２の第２の接触アーム６５２ａの一端部の先端部が当該第１の接点部６３０の２つの第１の円弧接点部６３２及び第２の円弧接点部６３３上を各々選択的に摺動する。
【００６４】
感触子６７０は、図３に示すように、リング状の板バネである。この感触子６７０には、ロータ６１０の４つの取付凸部６１５に嵌合する取付孔部６７１が１８０°間隔で２つずつ設けられている。換言すると、４つの取付孔部６７１がロータ６１０の４つの取付凸部６１５に嵌合することにより、感触子６７０がロータ６１０の下面に取り付けられるようになっている。
【００６５】
また、感触子６７０は、２つの取付孔部６７１と９０°間隔位置ずれした２箇所が下方に向けて半円弧状に湾曲している。この湾曲部分が、第２の操作体３００及びロータ６１０の回転に応じて、凹凸面６６０上を摺動する摺動凸部６７２となる。このように摺動凸部６７２が凹凸面６６０上を摺動することにより第２の操作体３００の操作感が生じる。    
【００６６】
基板１００としては、図１０に示すように、フレキシブル基板を用いる。この基板１００は、その円形部分の上面である第１の面１１０と、前記円形部分の下面である第２の面１２０と、前記円形部分に連続して設けられる略矩形状の接続部１３０と、前記円形部分に設けられる２つの位置決め用の孔部１４０と、前記円形部分の外周部に９０°間隔で設けられる４つの切欠き部１５０とを有する。
【００６７】
接続部１３０は、フレーム８００の導出口８５０から外部に引き出され、上記電子機器の基板に接続される。
【００６８】
各孔部１４０は、ホルダ６２０のボス６２６が嵌まり込む。これにより、ホルダ６２０が基板１００の第１の面１１０上に位置決めされる。
【００６９】
各切欠き部１５０は、取付手段７００の第２の取付フレーム７２０の第２の係止片７２２との干渉を避けるためのものである。
【００７０】
第１のスイッチ手段４００は、図２及び図１１に示すように、基板１００の第１の面１１０上に設けられる一対の第１の固定接点部４１１、４１２と、基板１００の第１の面１１０上の一方の第１の固定接点部４１１上にセットされるドーム状の第１の可動接点部４２０を有している。
【００７１】
第１の可動接点部４２０は、基板１００の第１の面１１０上の一方の第１の固定接点部４１１上に接触した状態で、第１のテープ４３０で当該第１の面１１０上に取り付けられる。この第１の可動接点部４２０は、第１の面１１０上に取り付けられた状態でホルダ６２０の円筒部６２１の下側セクションに収容され、その頂部上に第１の操作体２００の突起部２２０が載置される。
【００７２】
即ち、第１の可動接点部４２０は、前記頂部が第１の操作体２００の突起部２２０に押下されることにより、弾性変形して反転し、他方の第１の固定接点部４１２に接触する。このようにして第１のスイッチ手段４００がオフからオンになる。
【００７３】
取付手段７００は、図２及び図３に示すように、ロータ６１０をホルダ６２０に回転可能に取り付ける第１の取付フレーム７１０と、基板１００をホルダ６２０に取り付ける第２の取り付けフレーム７２０とを有する。
【００７４】
第１の取付フレーム７１０は、板状のリング体である第１の本体部７１１と、この第１の本体部７１１に９０°間隔で略直角に設けられる４つの第１の係止片７１２とを有する。
【００７５】
各第１の係止片７１２はホルダ６２０の係止爪６２４ａを係止する係止孔を有する。
【００７６】
第１の本体部７１１の内径は、ロータ６１０の外径よりも小さく且つロータ６１０の嵌合凸部６１２の外径よりも大きくなっている。第１の本体部７１１の外径は、ホルダ６２０の外壁部の外径よりも若干大きくなっている。即ち、第１の係止片７１２が係止爪６２４ａに係止された状態で、第１の本体部７１１がロータ６１０の上面の外周縁部及びホルダ６２０の外壁部の上面を覆う。このようにして第１の取付フレーム７１０が、ロータ６１０をホルダ６２０に回転自在に取り付ける。
【００７７】
第２の取付フレーム７２０は、十字状の板状体である第２の本体部７２１と、第２の本体部７２１の４つの先端部に略直角に設けられる４つの第２の係止片７２２とを有する。
【００７８】
各第２の係止片７２２は、ホルダ６２０の係止爪６２４ａとの干渉を避けるための孔部と、その先端部の両端部に設けられる２つの爪部とを有する。前記爪部がホルダ６２０の一対の係止突起６２４ｂに係止される。
【００７９】
第２の本体部７２１は、第２の係止片７２２がホルダ６２０の一対の係止突起６２４ｂに係止された状態で、基板１００の第２の面１２０に面接触する。このとき、第２の本体部７２１の４つの腕部が基板１００の第２の面１２０の４つの第２のスイッチ手段配設部の間に位置する。このように第２の取付フレーム７２０が基板１００がホルダ６２０に取り付ける。
【００８０】
また、第２の本体部７２１は、基板１００の第２の面１２０の中心部に面接触することにより第１の操作体２００の押下操作の際に、当該基板１００の中心部が撓むのを防止する機能を有する。
【００８１】
即ち、第１の操作体２００及び第１のスイッチ手段４００がロータ６１０とホルダ６２０とに保持され、感触子６７０が取り付けられたロータ６１０及び基板１００が第１、第２の取付フレーム７１０、７２０によりホルダ６２０に取り付けられることにより、感触子６７０が取り付けられたロータ６１０、基板１００、ホルダ６２０、第１の操作体２００及び第１のスイッチ手段４００がユニット化される（以下、これをユニットαと称する。）。
【００８２】
前記ケースは、フレーム８００と、このフレーム８００に取り付けられるベース板９００とを有している。
【００８３】
フレーム８００は、図１２に示すように、円筒状のフレーム本体８１０と、このフレーム本体８１０の外周面の下端部に９０°間隔で設けられる４つの取付台８２０と、フレーム本体８１０の内周面の上端部に内側に向けて設けられる鍔部８３０と、この鍔部８３０に取付台８２０と同間隔で設けられる４つのガイド部８４０と、フレーム本体８１０の２つの取付台８２０の間の下端部に設けられる導出口８５０とを有する。
【００８４】
フレーム本体８１０の内径はホルダ６２０の前記フランジの外径よりも若干大きくなっている。鍔部８３０内径は、その内周面とホルダ６２０の前記外壁部との間に隙間を有する大きさとなっている。即ち、フレーム本体８１０は、ホルダ６２０の下端部及び基板１００を上下動可能（即ち、押下操作移動）且つ傾動可能に収容する。
【００８５】
更に、鍔部８３０の内径は、ホルダ６２０の前記フランジの外径よりも小さくなっており、ホルダ６２０の上方への抜けを防止している。
【００８６】
ガイド部８４０はホルダ６２０の取付部６２４を上下動可能にガイドする。また、ガイド部８４０は、取付部６２４の周方向への移動を防止し、ホルダ６２０の周方向への回転を防止している。
【００８７】
各取付台８２０の下面には、ベース板９００の孔部９３０に溶着される突起８２１が設けられている。
【００８８】
導出口８５０は、基板１００の接続部１３０を外部に導出するための凹部である。
【００８９】
ベース板９００は、図１３に示すように、矩形状の板金である。このベース板９００は、中心部に設けられる第１の凸部９１０と、この第１の凸部９１０の回りに設けられる４つの第２の凸部９２０と、４つの角部に設けられる４つの溶着用の孔部９３０とを有する。
【００９０】
各孔部９３０はフレーム８００の突起８２１が溶着される。このようにしてベース板９００上にフレーム８００が取り付けられ、前記ケースの底板部として機能する。
【００９１】
第１の凸部９１０は、第２の取付フレーム７２０の第２の本体部７２１との間に隙間を有している。この第１の凸部９１０は、第１の操作体２００の押下操作の際に、第２の本体部７２１の中心部を支持する。このようにしてユニットαが第１の操作体２００に所定以上押し下げられることにより、当該ユニットαがベース板９００との間で第２の可動接点部５２０を弾性変形させ、他方の固定接点部５１２に接触するのを防止する。
【００９２】
各第２の凸部９２０は第２の可動接点部５２０の頂部に当接している。この第２の凸部９２０は、第２の操作体３００の傾動の際に、第２の可動接点部５２０の頂部を他方の第２の固定接点部５１２に向けて押圧し、当該第２の可動接点部５２０を弾性変形させる。
【００９３】
各第２のスイッチ手段５００は、基板１００の第２の面１２０上に設けられる一対の第２の固定接点部５１１、５１２と、基板１００の第２の面１２０上の一方の第２の固定接点部５１１上にセットされる第２の可動接点部５２０とを有している。
【００９４】
４つの第２の可動接点部５２０は、基板１００の第２の面１２０上の４つの一方の第２の固定接点部５１１上に各々セットされた状態で、第２のテープ５３０で当該第２の面１２０上に取り付けられる。これにより、４つの第２のスイッチ手段５００がユニットαに含められ、一体化される。この状態で、４つの第２の可動接点部５２０の頂部がベース板９００の４つの第２の凸部９２０に各々当接する。これにより、ユニットα及び第２の操作体３００がベース板９００に対して平衡状態で保持される。
【００９５】
即ち、第２の操作体３００の前記平衡状態からの傾動により、第２の可動接点部５２０がユニットα(即ち、ホルダ６２０の平坦面６２５及び基板１００)に押下されると、当該第２の可動接点部５２０の頂部がベース板９００の第２の凸部９２０に押しつけられる。これにより第２の可動接点部５２０が弾性変形して反転し、他方の第２の固定接点部５１２に接触する。このようにして第２のスイッチ手段５００がオフからオンになる。
【００９６】
以下、このような構成の複合操作型入力装置の組み立てて順について説明する。まず、ロータ６１０の４つの取付凸部６１５に、感触子６７０の４つの取付孔部６７１を位置合わせしつつ嵌合させる。これにより、感触子６７０がロータ６１０の下面の外周縁部に取り付けられる。
【００９７】
そして、ホルダ６２０の係止凸部６２１ａを第１の操作体２００の係止凹部２１１に位置合わせしつつ係止させる。すると、第１の操作体２００のフランジ部２１０がホルダ６２０の円筒部６２１の上側のセクションに入り込むと共に、当該第１の操作体２００の突起部２２０がホルダ６２０に埋設された第１の接触子６５１のリング部６５１ａ内に入り込む。
【００９８】
その後、ロータ６１０の中心孔部６１１に第１の操作体２００を挿入しつつ、当該ロータ６１０をホルダ６２０の凹部６２２及び梁部６２３の上方空間に収容させる。
【００９９】
すると、ロータ６１０の収容部６１４内に、ホルダ６２０の円筒部６２１の上端部及び第１の操作体２００のフランジ部２１０が嵌まり込む。
【０１００】
このとき、ホルダ６２０に埋設された第１の接触子６５１の第１の接触アーム６５１ｂの一端部の先端部が、ロータ６１０に埋設された第１の接点部６３０の円環接点部６３１に接触する。これと共に、ホルダ６２０に埋設された２つの第２の接触子６５２の第２の接触アーム６５２ａの一端部の先端部が、ロータ６１０の下面、当該ロータ６１０に埋設された第１の接点部６３０の２つの第１の円弧接点部６３２又は第２の円弧接点部６３３に各々接触する。
【０１０１】
その後、第１の取付フレーム７１０の第１の本体部７１１をロータ６１０が収容されたホルダ６２０に上方から被せる。そして、第１の取付フレーム７１０の４つの第１の係止片７１２をホルダ６２０の４つの取付部６２４の係止爪６２４ａに各々係止させる。すると、第１の取付フレーム７１０の第１の本体部７１１がロータ６１０の上面の外周縁部及びホルダ６２０の外壁部の上面を覆う。これにより、第１の操作体２００がロータ６１０の収容部６１４とホルダ６２０の円筒部６２１の上側のセクションとの間で上下動可能に保持されると共に、ロータ６１０、第１、第２の接触子６５１、６５２及び感触子６７０がホルダ６２０に回転自在に取り付けられる。
【０１０２】
その後、基板１００の第１の面１１０上の一方の第１の固定接点部４１１上に第１の可動接点部４２０を第１のテープ４３０を用いて取り付ける。そして、基板１００の第２の面１２０上の４つの一方の第２の固定接点部５１１上に４つの第２の可動接点部５２０を第２のテープ５３０を用いて取り付ける。
【０１０３】
その後、第１の可動接点部４２０をホルダ６２０の円筒部６２１の下側のセクションに位置合わせしつつ挿入する。これと共に、ホルダ６２０の２つのボス６２６を基板１００の２つの孔部１４０に嵌め込む。すると、基板１００の第１の面１１０がホルダ６２０の平坦面６２５に面接触する。
【０１０４】
このとき、第１の接触子６５１の一方の第１の接触アーム６５１ｂの他端部の先端部が、基板１００の第１の面１１０上の第２の接点部６４１の一端部に接触し、当該第１の接触子６５１の他方の第１の接触アーム６５１ｂの他端部の先端部が第２の接点部６４１の他端部に接触する。これと共に、一方の第２の接触子６５２の第２の接触アーム６５２ａの他端部の先端部が、基板１００の第１の面１１０上の第２の接点部６４２に接触する。他方の第２の接触子６５２の第２の接触アーム６５２ａの他端部の先端部が基板１００の第１の面１１０上の第２の接点部６４３に接触する。
【０１０５】
この状態で、第２の取付フレーム７２０の第２の本体部７２１を基板１００の円形部分に下方から被せ、当該第２の本体部７２１の４つの腕部を基板１００の第２の面１２０上の４つの第２の可動接点部５２０の間に位置させる。そして、第２の取付フレーム７２０の４つの第２の係止片７２２をホルダ６２０の４つの取付部６２４の一対の係止突起６２４ｂに各々係止させる。これにより基板１００がホルダ６２０に取り付けられる。このようにして基板１００、第１の操作体２００、第１のスイッチ手段４００、第２のスイッチ手段５００及び回転検出手段６００がユニット化される。即ち、第１の操作体２００、第１のスイッチ手段４００、第２のスイッチ手段５００及び回転検出手段６００がユニットαとなる。
【０１０６】
その後、ユニットαをフレーム８００のフレーム本体８１０内に下方から挿入する。そして、ユニットαのホルダ６２０の４つの取付部６２４をフレーム８００の４つのガイド部８４０に位置合わせしつつ挿入する。
【０１０７】
この状態で、フレーム８００の４つの突起８２１をベース板９００の４つの孔部９３０に溶着させる。すると、基板１００の第２の面１２０上の４つの第２の可動接点部５２０がベース板９００の４つの第２の凸部９２０上に載置される。
【０１０８】
その後、第２の操作体３００の貫通孔部３１０に第１の操作体２００を位置合わせしつつ挿入する。そして、第２の操作体３００の圧入凸部３４０を、ロータ６１０の圧入孔部６１３に圧入すると共に、当該第２の操作体３００の嵌合凹部３２０にロータ６１０の嵌合凸部６１２を嵌合させる。これにより、第２の操作体３００がロータ６１０に取り付けられる。
【０１０９】
以下、このようにして組み立てられる複合操作型入力装置の使用方法及び各部の動作について説明する。
【０１１０】
第１の操作体２００が押下操作されると、第１の操作体２００の突起部２２０が第１のスイッチ手段４００の第１の可動接点部４２０の頂部を押下する。すると、第１の可動接点部４２０が弾性変形して反転し、前記頂部が基板１００の第１の面１１０上の他方の固定接点部４１２に接触する。これにより、第１のスイッチ手段４００がオンになり、その出力信号が基板１００を通じて前記電子機器に入力される。
【０１１１】
このとき、基板１００が第２の取付フレーム７２０の第２の本体部７２１に支えられる。これにより、第１の可動接点部４２０を通じて第１の操作体２００に押下されることにより基板１００の中心部（第１のスイッチ手段配設部分）を中心とする撓みが防止される。
【０１１２】
また、第１の操作体２００が所定以上押下操作される、又は第１の操作体２００及び第２の操作体３００が所定以上押下操作されると、ユニットαが下方に移動し、ベース板９００の第１の凸部９１０に当接する。これにより、ユニットαの下方への移動が阻止され、第２の可動接点部５２０が弾性変形して他方の固定接点部５１２に接触するのが防止される。即ち、第２のスイッチ手段５００の誤作動を防止される。
【０１１３】
第２の操作体３００が傾動操作されると、ユニットαが操作方向に向けて傾動する。すると、傾動方向に位置する第２のスイッチ手段５００の第２の可動接点部５２０がユニットαのホルダ６２０の平坦面６２５及び基板１００により押下される（即ち、基板１００の第２の面１２０の前記第２のスイッチ手段配設部分に押下される）。これにより、第２の可動接点部５２０の頂部がベース板９００の傾動方向に位置する第２の凸部９２０に押しつけられ、当該第２の可動接点部５２０が弾性変形して反転する。そして、第２の可動接点部５２０の頂部が基板１００の第２の面１２０上の他方の固定接点部５１２に接触する。これにより、第２のスイッチ手段５００がオンになり、その出力信号が基板１００を通じて前記電子機器に入力される。
【０１１４】
このとき、ユニットαのホルダ６２０の平坦面６２５が第２のスイッチ手段５００の第２の可動接点部５２０を基板１００を通じて押下することにより、当該基板１００の前記第２のスイッチ手段配設部分を中心とする撓みが防止される。
【０１１５】
第２の操作体３００が回転操作されると、ロータ６１０の収容部６１４が円筒部６２１の上端部上を回転する。これにより、ロータ６１０及び第２の操作体３００が回転する。すると、ホルダ６２０に埋設された第１の接触子６５１の２つの第１の接触アーム６５１ｂの一端部の先端部がロータ６１０の下面から露出する第１の接点部６３０の円環接点部６３１上を各々摺動する。これと共に、２つの第２の接触子６５２の第２の接触アーム６５２ａの一端部の先端部が第１の接点部６３０の２つの第１の円弧接点部６３２及び第２の円弧接点部６３３上を各々選択的に摺動する。これにより、ロータ６１０の回転を示す回転信号が基板１００を通じて前記電子機器に入力される。
【０１１６】
このとき、ロータ６１０と共に回転する感触子６７０の摺動凸部６７２が凹凸面６６０上を摺動する。これにより、第２の操作体３００の回転操作の操作感が生じる。
【０１１７】
このような複合操作型入力装置による場合、第１のスイッチ手段４００が基板１００の第１の面１１０上に設けられ、４つの第２のスイッチ手段５００が基板１００の第２の面１２０上に設けられている。このため、第１の操作体２００の押下移動により、基板１００の第１の面１１０上の第１のスイッチ手段４００の第１の可動接点部４２０が押下されるが、基板１００の第２の面１２０上の第２のスイッチ手段５００の第２の可動接点部５２０が押下されることがない。よって、第１の操作体２００を押下操作の際の第２のスイッチ手段５００の誤作動を防止することができる。また、第２の操作体３００と共に傾動するユニットαにより、基板１００の第２の面１２０上の第２のスイッチ手段５００の第２の可動接点部５２０が押下されるが、基板１００の第１の面１１０上の第１のスイッチ手段４００の第１の可動接点部４２０が押下されることがない。よって、第２の操作体３００の傾動操作の際の第１のスイッチ手段４００の誤作動を防止することができる。
【０１１８】
しかも、第１の操作体２００、又は第１の操作体２００及び第２の操作体３００が所定以上押下操作され、ユニットαが下方に移動したとしても、ベース板９００の第１の凸部９１０がユニットαを支持する。即ち、ユニットαの所定以上の下方への移動が防止されるので、ユニットαの所定以上の下方への移動により第２のスイッチ手段５００の第２の可動接点部５２０が押下され、当該第２のスイッチ手段５００が誤作動を起こすのを防止することができる。
【０１１９】
更に、回転検出手段６００が基板１００と共に傾動し、当該基板１００を通じて第２のスイッチ手段５００をオン／オフするようになっている。このため、基板の第１の面上に第２のスイッチ手段が配設されており、第２の操作体の傾動に応じて回転検出手段が傾動し、当該回転検出手段の接触子が前記基板上の第２の接点部に押しつけられる場合と比べて当該接触子のへたりを抑止することができる。
【０１２０】
なお、本発明の複合操作型入力装置は、第１の面とこの第１の面の反対側の面である第２の面とを有する基板と、この基板の第１の面に向けて押下操作可能な第１の操作体と、この第１の操作体の回りに配置され、回転操作及び傾動操作可能な環状の第２の操作体と、基板の第１の面に設けられており且つ第１の操作体の押下移動によりオン／オフされる第１のスイッチ手段と、基板の第２の面の第１の操作体配設部分の反対側部分の周囲に配設される複数の第２のスイッチ手段と、第２の操作体の回転を検出する回転検出手段と、基板、第１、第２のスイッチ手段及び回転検出手段を収容するケースとを備えており、第２の操作体の傾動に応じて、基板、第１のスイッチ手段及び回転検出手段が傾動することにより、当該基板の第２の面の複数の第２のスイッチ手段配設部分が、複数の第２のスイッチ手段をケースの底板部との間でオン／オフするようになっている限り任意に設計変更することが可能である。
【０１２１】
基板１００の形状については任意に設計変更することが可能である。また、基板１００はフレキシブル基板であるとしたが、これに限定されるものではない。
【０１２２】
第１の操作体２００は、略円柱状の樹脂成形品であるとしたが、前記第１のスイッチ手段をオン／オフし得るものである限り任意に設計変更することが可能である。例えば、図１４に示すように、第１の操作体２００’を上下の２ピース２０１’、２０２’で構成するように設計変更することもできる。この場合、上側のピース２０１’は、ロータ６１０及びホルダ６２０への組み込みを考慮する必要がない。即ち、上側のピース２０１’の外径を、下側のピースの外径２０２’に比べて大きくすることができるので、第１の操作体２００’を操作し易くすることができる。
【０１２３】
また、第１の操作体２００は、フランジ部２１０に２つの係止凹部２１１に変えて係止凸部を設けることが可能である。この場合、ホルダ６２０に前記係止凸部を係止する係止凹部を設けると良い。なお、係止凹部２１１は、第１の操作体２００のフランジ部２１０以外の部分に設けても良い。
【０１２４】
第２の操作体３００は、第１の操作体の回りに配置され、回転操作及び傾動操作可能な環状体である限り任意に設計変更することが可能である。
【０１２５】
回転検出手段６００については、ロータ６１０、ホルダ６２０、第１の接点部６３０、第２の接点部６４１、６４２、６４３と、第１の接触子６５１と、２つの第２の接触子６５２と、凹凸面６６０及び感触子６７０を備えるとしたが、第２の操作体３００の周方向への回転を検出し得るものである限りどのようなもの用いても構わない。
【０１２６】
例えば、前記回転検出手段は、接触子を第２の操作体３００の下面に設け、基板１００上の接点上を摺動させるように構成することができる。また、前記回転検出手段としては、基板１００の第１の面１１０上に第２の接点部６４１、６４２、６４３の代わりに抵抗パターンを設け、接触子を摺動させる可変抵抗器を用いることもできるし、第２の操作体３００の傾動に応じて回転する金属板の磁界の変化を掲出する磁気検出手段を用いることもできる。
【０１２７】
ロータ６１０については、上述の如く、接触子や金属板を第２の操作体に直接取り付ける場合には、省略することが可能である。ホルダ６２０についても、同様である。
【０１２８】
ホルダ６２０の平坦面６２５については、基板１００の第１の面１１０の第２のスイッチ手段配設部分の反対側部分に面接触するように設け設けられていれば良い。例えば、基板１００の第１の面１１０の第２のスイッチ手段配設部分の反対側部分（即ち、４箇所）に平坦面６２５を設けることもできる。
【０１２９】
第１の接点部６３０については、接触子が摺動し得る限り任意に設計変更することが可能である。第２の接点部６４１、６４２、６４３については、接触子が接触し得る限り任意に設計変更することが可能である。なお、前記第２の接点部は、第１の接点部が基板１００の第１の面上に設けられる場合には、省略可能である。
【０１３０】
第１の接触子６５１は、一端部が第１の接点部６３０上を摺動可能であり、他端部が基板１００の第１の面１１０上の第２の接点部６４１に接触し得る限り任意に設計変更することが可能である。
【０１３１】
第２の接触子６５２は、一端部が第１の接点部６３０上を摺動可能であり、他端部が、基板１００の第１の面１１０上の第２の接点部６４２に接触し得る限り任意に設計変更することが可能である。
【０１３２】
感触子６７０及び凹凸面６６０は省略することが可能である。また、前記感触子をホルダに設ける一方、前記凹凸面をロータに設けることも可能である。また、前記ロータを省略する場合には、第２の操作体に感触子又は凹凸面を設けるようにすれば良い。
【０１３３】
感触子６７０の形状としては、凹凸面上を摺動可能なものである限りどのような形状のものを用いても構わない。また、感触子６７０の取付方法としては、４つの取付孔部６７１がロータ６１０の４つの取付凸部６１５に嵌合することにより、ロータ６１０の下面に取り付けられるとして説明したが、ロータ、ホルダ又は第２の操作体に同様に取り付けられる限り任意に設計変更することが可能である。例えば、取付凸部６１５を溶着し、感触子６７０をロータ６１０の下面に取り付けることができる。
【０１３４】
取付手段７００については、設けるか否かは任意である。即ち、第２の操作体３００の傾動に応じて前記基板、第１のスイッチ手段及び回転検出手段が傾動可能になっている場合には、取付手段７００によりユニット化されている必要はない。なお、取付手段７００は、第１の操作体及びロータを保持したホルダを基板に取り付け得るものである限りどのようなものを用いても構わない。
【０１３５】
第１のスイッチ手段４００については、第１の操作体の押下操作によりオン／オフされ得るものである限りどのようなものを用いても構わない。
【０１３６】
第１の可動接点部４２０については、一対の第１の固定接点部４１１、４１２に接触し、両者を導通させうるものであれば良い。また、第１の可動接点部４２０にバネ性を持たせる場合には、ドーム状に限定されることなく、断面視略逆凹字状であれば良い。なお、第２の可動接点部５２０も同様である。
【０１３７】
第２のスイッチ手段５００についても、第１の操作体の傾動と共に傾動する基板により、オン／オフされ得るものである限りどのようなものを用いても構わない。なお、第２のスイッチ手段５００は４つであると説明したが、これに限定されるものではなく、第２のスイッチ手段が少なくとも２以上あれば良い。
【０１３８】
前記ケースは、基板、第１、第２のスイッチ手段及び回転検出手段を傾動自在に収容し得るものである限り任意に設計変更することが可能である。
【０１３９】
フレーム８００については、少なくとも基板、回転検出手段、第１、第２のスイッチ手段を収容し得るものである限り任意に設計変更することが可能である。
【０１４０】
ベース板９００については設けるか否かは任意である。ベース板９００を設ける場合には、少なくとも基板の第２の面の第１の操作体配設部分の反対側部分に向けて凸の第１の凸部が設けられていれば良い。
【０１４１】
上記実施例では、本発明の複合操作型入力装置は、携帯情報端末やＤＶＤ再生記録装置等のリモコン装置である電子機器に備えられる入力装置であるとして説明したが、その他の電子機器に備えることが可能である。
【図面の簡単な説明】
【０１４２】
【図１】本発明の実施の形態に係る複合操作型入力装置の概略的斜視図であって、(ａ）が上方から見た図、（ｂ）が下方から見た図である。
【図２】(ａ）が同装置のＡ−Ａ断面図、(ｂ）が同装置のＢ−Ｂ断面図である。
【図３】同装置の概略的分解斜視図である。
【図４】同装置の第１の操作体の概略的斜視図であって、(ａ）が上方から見た図、（ｂ）が下方から見た図である。
【図５】同装置の第２の操作体の概略的斜視図であって、(ａ）が上方から見た図、（ｂ）が下方から見た図である。
【図６】同装置の回転検出手段の第１の接点部が埋設されたロータの概略的斜視図であって、(ａ）が上方から見た図、（ｂ）が下方から見た図である。
【図７】同装置の回転検出手段の第１の接点部の概略的斜視図である。
【図８】同装置の回転検出手段の第１、第２の接触子が埋設されたホルダの概略的斜視図であって、(ａ）が上方から見た図、（ｂ）が下方から見た図である。
【図９】同装置の回転検出手段の第１、第２の接触子の概略的斜視図である。
【図１０】同装置の基板の概略的斜視図であって、(ａ）が上方から見た図、（ｂ）が下方から見た図である。
【図１１】同装置の基板及び第１、第２のスイッチ手段を示す概略的分解斜視図である。
【図１２】同装置のフレームの概略的斜視図であって、(ａ）が上方から見た図、（ｂ）が下方から見た図である。
【図１３】同装置のベース板を示す概略的斜視図であって、(ａ）が上方から見た図、（ｂ）が下方から見た図である。
【図１４】同装置の設計変更例を示す概略的断面図である。
【符号の説明】
【０１４３】
１００  基板
１１０  第１の面
１２０  第２の面
２００  第１の操作体
３００  第２の操作体
４００  第１のスイッチ手段
４１１  一方の第１の固定接点部
４１２  他方の第１の固定接点部
４２０  第１の可動接点部
５００  第２のスイッチ手段
５１１  一方の第２の固定接点部
５１２  他方の第２の固定接点部
５２０  第２の可動接点部
６００  回転検出手段
６１０  ロータ
６２０  ホルダ
６３０  第１の接点部
６４１  第２の接点部
６４２  第２の接点部
６４３  第２の接点部
６５１  第１の接触子
６５２  第２の接触子
６６０  凹凸面
６７０  感触子
８００  フレーム
９００  ベース板（ケースの底板部）
９１０  第１の凸部
９２０  第２の凸部
【図１】
2008311007.tif 000003
【図２】
2008311007.tif 000004
【図３】
2008311007.tif 000005
【図４】
2008311007.tif 000006
【図５】
2008311007.tif 000007
【図６】
2008311007.tif 000008
【図７】
2008311007.tif 000009
【図８】
2008311007.tif 000010
【図９】
2008311007.tif 000011
【図１０】
2008311007.tif 000012
【図１１】
2008311007.tif 000013
【図１２】
2008311007.tif 000014
【図１３】
2008311007.tif 000015
【図１４】
2008311007.tif 000016